(57)【特許請求の範囲】
【請求項１】
携帯端末機と情報端末との間での通信を可能にした通信システムであって、
無線ＬＡＮ接続機能を備えた携帯端末機と、
無線ＬＡＮ接続機能を備えた情報端末と、
前記携帯端末機同士を接続する携帯電話網と、
前記情報端末同士を接続するネットワーク網とを有し、
前記携帯端末機は、無線ＬＡＮ経由で前記情報端末に接続され、
前記情報端末は、前記無線ＬＡＮ経由で前記携帯端末機を制御することで、相手先の携帯端末機に前記携帯電話網を介して通話接続されると共に、この携帯端末機がこの通話接続を前記無線ＬＡＮ経由で接続された該携帯端末機と同一のユーザの前記情報端末に転送するものであり、
且つ、前記情報端末が前記ネットワーク網経由で相手方の情報端末に接続できない、もしくは相手方の携帯端末機の番号が登録されている場合には、無線ＬＡＮ接続された前記携帯端末機に発信指示を行い、前記携帯端末機は、前記情報端末からの当該発信指示に基づいて、前記携帯電話網を介して相手方の携帯端末機に発信指示を行う
ことを特徴とする通信システム。
【請求項２】
前記情報端末は、前記携帯端末機にルータを介して無線ＬＡＮ接続される、請求項１に記載の通信システム。
【請求項３】
前記情報端末は、前記携帯端末機にルータ及びネットワーク網を介して無線ＬＡＮ接続される、請求項１に記載の通信システム。
【請求項４】
携帯端末機との間で通信を行う通信システムに用いる情報端末であって、
無線モデムと、無線ＬＡＮ機能部とを有し、
前記無線モデムは、情報端末同士をネットワーク網に接続し、
前記無線ＬＡＮ機能部は、情報端末を携帯端末機に接続すると共に、
同一のユーザの前記携帯端末機を無線ＬＡＮ経由で制御して相手先の携帯端末機に携帯電話網を介して通話接続させ、この携帯端末機からこの通話接続を前記無線ＬＡＮ経由で転送されるものであり、
且つ、前記ネットワーク網経由で相手方の情報端末に接続できない、もしくは相手方の携帯端末機の番号が登録されている場合には、無線ＬＡＮ接続された前記携帯端末機に発信指示を行う
ことを特徴とする情報端末。
【請求項５】
前記情報端末は、前記携帯端末機にルータを介して無線ＬＡＮ接続される、請求項４に記載の情報端末。
【請求項６】
前記情報端末は、前記携帯端末機にルータ及びネットワーク網を介して無線ＬＡＮ接続される、請求項４に記載の情報端末。
【請求項７】
携帯端末機と情報端末との間での通信を行う通信方法であって、
前記携帯端末機と前記情報端末とを無線ＬＡＮ経由で接続し、
前記無線ＬＡＮ経由で前記携帯端末機を前記情報端末で制御することで、相手先の携帯端末機と前記情報端末とを携帯電話網を介して接続し、
この携帯端末機がこの通話接続を前記無線ＬＡＮ経由で接続された該携帯端末機と同一のユーザの前記情報端末に転送するものであり、
且つ、前記情報端末がネットワーク網経由で相手方の情報端末に接続できない、もしくは相手方の携帯端末機の番号が登録されている場合には、無線ＬＡＮ接続された前記携帯端末機に発信指示を行い、前記携帯端末機は、前記情報端末からの当該発信指示に基づいて、前記携帯電話網を介して相手方の携帯端末機に発信指示を行うことを特徴とする通信方法。
【請求項８】
無線ＬＡＮ接続された前記情報端末から前記携帯端末機に向けて発信指示を行い、
前記発信指示に基づいて起動した前記携帯端末機を中継させて、前記情報端末と前記相手方の携帯端末との間に、前記携帯電話網による通話路を確保する、請求項７に記載の通信方法。
【請求項９】
携帯端末機を情報端末に接続する無線ＬＡＮ（Ｌｏｃａｌ  Ａｒｅａ  Ｎｅｔｗｏｒｋ）機能と、前記情報端末同士をネットワーク網に接続する無線モデム機能とを搭載し、前記携帯端末機と前記無線ＬＡＮ機能によって接続する前記情報端末に用いる発着信制御方法のプログラムであって、
コンピュータに、同一のユーザの前記携帯端末機を前記無線ＬＡＮ経由で制御して相手先の携帯端末機に前記携帯電話網を介して通話接続させる処理と、この携帯端末機からのこの通話接続の転送を前記無線ＬＡＮ経由で受ける処理と、前記ネットワーク網経由で相手方の情報端末に接続できない、もしくは相手方の携帯端末機の番号が登録されている場合には、無線ＬＡＮ接続された前記携帯端末機に発信指示を行う処理とを実行させるためのプログラム。
【発明の詳細な説明】
【技術分野】
【０００１】
本発明は、携帯端末機及び情報端末、通信方法及びプログラムに関し、特に無線ＬＡＮ（Ｌｏｃａｌ  Ａｒｅａ  Ｎｅｔｗｏｒｋ）機能を搭載する携帯端末機に関する。
【背景技術】
【０００２】
近年、携帯電話機等の携帯端末機においては、携帯電話網へ接続する機能の他に、無線ＬＡＮへ接続するための無線ＬＡＮ機能を搭載する端末がある（例えば、特許文献１〜３）【０００３】
これによって、携帯電話機がパーソナルコンピュータ（以下、パソコンとする）と同じネットワーク（インタネット）に接続することができる。また、最近は、ＳＫＹＰＥ（登録商標）、インスタントメッセージ等のインタネット経由で電話ができるようになっている。【０００４】
このように、携帯電話機では、携帯電話網による通話やインタネットによる通話のどちらでも通話ができるようなり、便利になってきているが、同時に複数の電話（携帯電話網による通話やインタネットによる通話）を管理しなくてはならない。【０００５】
【特許文献１】特表２００５−５３１９８６
【特許文献１】特開２００２−１９０８４５
【特許文献１】特開２００１−１０３５６８
【発明の開示】
【発明が解決しようとする課題】
【０００６】
上述した従来の携帯端末機では、無線ＬＡＮ機能を搭載することで、携帯電話網による通話やインタネットによる通話が可能となってきているが、それらの通話を行う際に相手先に対してダイヤルして通話しなければならず、この２つの通話方法をその都度切り分けながらダイヤルする煩わしさがある。また、従来の携帯端末機では、無線ＬＡＮ機能を搭載することで、携帯電話網による着信やインタネットによる着信も可能であるため、これら発信や着信の両方があることも煩わしさを招いている。【０００７】
そこで、本発明の目的は上記の問題点を解消し、煩わしい操作を行うことなく、携帯電話網による通話とインタネットによる通話とにおける通話を行う端末の切替えを行うことができる通信システム、携帯端末機及び情報端末、通信方法及びプログラムを提供することにある。
【課題を解決するための手段】
【０００８】
本発明による通信システムは、携帯端末機と情報端末との間での通信を可能にした通信システムであって、無線ＬＡＮ接続機能を備えた携帯端末機と、無線ＬＡＮ接続機能を備えた情報端末と、前記携帯端末機同士を接続する携帯電話網と、前記情報端末同士を接続するネットワーク網とを有し、前記携帯端末機は、無線ＬＡＮ経由で前記情報端末に接続され、前記情報端末は、前記無線ＬＡＮ経由で前記携帯端末機を制御することで、相手先の携帯端末機に前記携帯電話網を介して通話接続されると共に、この携帯端末機がこの通話接続を前記無線ＬＡＮ経由で接続された該携帯端末機と同一のユーザの前記情報端末に転送するものであり、且つ、前記情報端末が前記ネットワーク網経由で相手方の情報端末に接続できない、もしくは相手方の携帯端末機の番号が登録されている場合には、無線ＬＡＮ接続された前記携帯端末機に発信指示を行い、前記携帯端末機は、前記情報端末からの当該発信指示に基づいて、前記携帯電話網を介して相手方の携帯端末機に発信指示を行う。
【００１０】
本発明による情報端末は、携帯端末機との間で通信を行う通信システムに用いる情報端末であって、無線モデムと、無線ＬＡＮ機能部とを有し、前記無線モデムは、情報端末同士をネットワーク網に接続し、前記無線ＬＡＮ機能部は、情報端末を携帯端末機に接続すると共に、同一のユーザの前記携帯端末機を無線ＬＡＮ経由で制御して相手先の携帯端末機に携帯電話網を介して通話接続させ、この携帯端末機からこの通話接続を前記無線ＬＡＮ経由で転送されるものであり、且つ、前記ネットワーク網経由で相手方の情報端末に接続できない、もしくは相手方の携帯端末機の番号が登録されている場合には、無線ＬＡＮ接続された前記携帯端末機に発信指示を行う。
【００１１】
本発明による通信方法は、携帯端末機と情報端末との間での通信を行う通信方法であって、前記携帯端末機と前記情報端末とを無線ＬＡＮ経由で接続し、前記無線ＬＡＮ経由で前記携帯端末機を前記情報端末で制御することで、相手先の携帯端末機と前記情報端末とを携帯電話網を介して接続し、この携帯端末機がこの通話接続を前記無線ＬＡＮ経由で接続された該携帯端末機と同一のユーザの前記情報端末に転送するものであり、且つ、前記情報端末がネットワーク網経由で相手方の情報端末に接続できない、もしくは相手方の携帯端末機の番号が登録されている場合には、無線ＬＡＮ接続された前記携帯端末機に発信指示を行い、前記携帯端末機は、前記情報端末からの当該発信指示に基づいて、前記携帯電話網を介して相手方の携帯端末機に発信指示を行う。
【００１４】
本発明による他の発着信制御方法のプログラムは、携帯端末機を情報端末に接続する無線ＬＡＮ（Ｌｏｃａｌ  Ａｒｅａ  Ｎｅｔｗｏｒｋ）機能と、前記情報端末同士をネットワーク網に接続する無線モデム機能とを搭載し、前記携帯端末機と前記無線ＬＡＮ機能によって接続する前記情報端末に用いる発着信制御方法のプログラムであって、
コンピュータに、同一のユーザの前記携帯端末機を前記無線ＬＡＮ経由で制御して相手先の携帯端末機に前記携帯電話網を介して通話接続させる処理と、この携帯端末機からのこの通話接続の転送を前記無線ＬＡＮ経由で受ける処理と、前記ネットワーク網経由で相手方の情報端末に接続できない、もしくは相手方の携帯端末機の番号が登録されている場合には、無線ＬＡＮ接続された前記携帯端末機に発信指示を行う処理とを実行させている。
【００１５】
すなわち、本発明の携帯端末機は、無線ＬＡＮ（Ｌｏｃａｌ  Ａｒｅａ  Ｎｅｔｗｏｒｋ）機能を搭載し、パーソナルコンピュータ（以下、パソコンとする）等から無線ＬＡＮ経由で携帯端末機を制御して相手先に通話するとともに、携帯端末機で着信した通話を無線ＬＡＮ経由でパソコンに転送して通話している。この通話は、インタネット経由で離れた場所でも行うことが可能となる。【００１６】
また、本発明の携帯端末機では、携帯電話とインタネット電話とを組み合わせて、最初は通話料無料のインタネットで通話を試み、通話の相手がインタネットに接続していない状態（ログインしていない状態）の時に、携帯端末機への通話に切替えている。【００１７】
上記のように、本発明の携帯端末機では、無線ＬＡＮを搭載し、パソコンから無線ＬＡＮ経由で携帯端末機を操作して通話の発信をしたり、あるいはその逆で携帯端末機にて着信した通話を無線ＬＡＮ経由でパソコンに転送して通話を実現することで、煩わしい操作を行うことなく、携帯電話網による通話とインタネットによる通話とにおける通話を行う端末の切替えを可能としている。
【発明の効果】
【００１８】
本発明は、上記のような構成及び動作とすることで、煩わしい操作を行うことなく、携帯電話網による通話とインタネットによる通話とにおける通話を行う端末の切替えを行うことができるという効果が得られる。
【発明を実施するための最良の形態】
【００１９】
次に、本発明の実施例について図面を参照して説明する。図１は本発明の一実施例による携帯端末機の構成を示すブロック図である。図１において、携帯端末機１はＣＰＵ（中央処理装置）１１と、携帯電話網にて相手先との発着信を行うための無線モデム１２及びアンテナ１７と、ネットワーク［例えば、インタネット網や無線ＬＡＮ（Ｌｏｃａｌ  Ａｒｅａ  Ｎｅｔｗｏｒｋ）等］にて相手先との発着信を行うための無線ＬＡＮ機能部１３及びアンテナ１８と、表示部１４と、操作部１５と、ＣＰＵ１１が実行するプログラムやそのプログラムの実行時に使用する情報等を格納するメモリ１６とを含んで構成されている。【００２０】
無線モデム１２には、通常の音声通話等を行うためのアンテナ１７が接続されており、通常の音声通話等を行うため基地局（図示せず）の通信のやりとりを行う。無線ＬＡＮ機能部１３には、無線ＬＡＮ親機（図示せず）からの電波を送受信する無線ＬＡＮ用アンテナ１８が接続されており、無線ＬＡＮ親機から電波を送受信してネットワークに接続する。【００２１】
表示部１４は各種操作内容やメッセージ等を表示するＬＣＤ（Ｌｉｑｕｉｄ  Ｃｒｙｓｔａｌ  Ｄｉｓｐｌａｙ）等の表示デバイスである。操作部１５はダイヤルキーや十字キー等の各種キーからなっている。メモリ１６は設定情報、内部情報（例えば、電話帳等）の情報やＣＰＵ１１が実行するプログラム等を蓄積している。【００２２】
図２は本発明の一実施例によるパーソナルコンピュータ（以下、パソコンとする）の構成を示すブロック図である。図２において、パソコン１はＣＰＵ（中央処理装置）２１と、ネットワーク［例えば、インタネット網や無線ＬＡＮ（Ｌｏｃａｌ  Ａｒｅａ  Ｎｅｔｗｏｒｋ）等］にて相手先との発着信を行うための無線ＬＡＮ機能部２２及びアンテナ２７と、表示部２３と、操作部２４と、ＣＰＵ２１が実行するプログラムやそのプログラムの実行時に使用する情報等を格納するメモリ２５とを含んで構成されている。【００２３】
無線ＬＡＮ機能２２部には、無線ＬＡＮ親機（図示せず）からの電波を送受信する無線ＬＡＮ用アンテナ２７が接続されており、無線ＬＡＮ親機から電波を送受信してネットワークに接続する。【００２４】
表示部２３は各種操作内容やメッセージ等を表示するＬＣＤ等の表示デバイスである。操作部２４はダイヤルキーや十字キー等の各種キーからなっている。メモリ２５は設定情報、内部情報（例えば、電話帳テーブル等）の情報やＣＰＵ２１が実行するプログラム等を蓄積している。【００２５】
図３は本発明の一実施例による通信システムの構成を示すブロック図である。図３において、本発明の一実施例による通信システムは携帯端末機（Ａ，Ｂ）１−１，１−２と、パーソナルコンピュータ（以下、パソコンとする）（Ａ，Ｂ）２−１，２−２と、携帯端末機（Ａ）１−１とパソコン（Ａ）２−１とをインタネット網１００に接続するためのルータ３と、ルータ３とパソコン（Ｂ）２−２とが接続されるインタネット網１００と、携帯端末機（Ａ，Ｂ）１−１，１−２が接続される携帯電話網２００とから構成されている。【００２６】
携帯端末機（Ａ）１−１は上記の図１に示す構成となっており、無線ＬＡＮ機能部１３及びアンテナ１８を通してルータ３に接続され、ルータ３を通してパソコン（Ａ）２−１及びインタネット網１００に接続可能となっている。また、携帯端末機（Ａ）１−１は無線モデム１２及びアンテナ１７によって携帯電話網２００を通して携帯端末機（Ｂ）１−２に接続可能となっている。携帯端末機（Ｂ）１−２は上記の図１に示す構成から無線ＬＡＮ機能部１３及びアンテナ１８を除いた構成となっており、無線モデム１２及びアンテナ１７によって携帯電話網２００を通して携帯端末機（Ａ）１−１に接続可能となっている。【００２７】
パソコン（Ａ）２−１はインタネット網１００に接続可能であり、インタネット網１００を介したインタネット電話を行うための機能を備えるとともに、ルータ３を通して携帯端末機（Ａ）１−１に無線ＬＡＮ接続される。パソコン（Ｂ）２−２はインタネット網１００に接続可能であり、インタネット網１００を介したインタネット電話を行うための機能を備えている。【００２８】
パソコン（Ａ）２−１はルータ３を通して無線ＬＡＮ接続された携帯端末機（Ａ）１−１を制御することが可能であり、インタネット電話の発着信及び携帯端末機（Ａ）１−１を通した音声通話が可能となっている。【００２９】
この構成において、パソコン（Ａ）２−１からはルータ３及びインタネット網１００を通してパソコン（Ｂ）２−２へインタネット電話をかけることができ、ルータ３及び携帯端末機（Ａ）１−１を経由して携帯端末機（Ｂ）１−２に携帯電話をかけることができる。その逆も、つまりパソコン（Ａ）２−１からはルータ３及びインタネット網１００を通してパソコン（Ｂ）２−２からのインタネット電話を着信することができ、ルータ３及び携帯端末機（Ａ）１−１を経由して携帯端末機（Ｂ）１−２からの携帯電話を着信することができる。【００３０】
さらに、携帯電話をパソコン（Ａ）２−１に転送することも可能である。この場合、携帯端末機（Ｂ）１−２から携帯端末機（Ａ）１−１に携帯電話をかけた時、携帯端末機（Ａ）１−１が携帯端末機（Ｂ）１−２からの携帯電話をパソコン（Ａ）２−１に転送することで、携帯端末機（Ｂ）１−２とパソコン（Ａ）２−１との間で通話を行うことができる。【００３１】
図４は本発明の一実施例による通信システムの動作を示すシーケンスチャートである。これら図１〜図４を参照して本発明の一実施例による通信システムにおけるパソコン（Ａ）２−１から携帯端末機（Ｂ）１−２への発信動作について説明する。【００３２】
パソコン（Ａ）２−１はルータ３を通して無線ＬＡＮ接続された携帯端末機（Ａ）１−１に携帯端末機（Ｂ）１−２への発信指示を送ると（図４のａ１参照）、携帯端末機（Ａ）１−１はパソコン（Ａ）２−１からの発信指示にしたがって、携帯電話網２００を通して携帯端末機（Ｂ）１−２への発信処理を行う（図４のａ２，ａ３参照）。【００３３】
携帯端末機（Ｂ）１−２は携帯端末機（Ａ）１−１の発信［携帯端末機（Ａ）１−１からの着信］を受けてオフフックすると（図４のａ４参照）、携帯端末機（Ａ）１−１に音声通話を行う（図４のａ５参照）。携帯端末機（Ａ）１−１はパソコン（Ａ）２−１からの発信指示にしたがって発信処理を行っているので、携帯端末機（Ｂ）１−２からの音声通話をそのままバソコン（Ａ）２−１に転送する（図４のａ６，ａ７参照）。これによって、携帯端末機（Ｂ）１−２とパソコン（Ａ）２−１との間で通話が行われる（図４のａ８参照）。【００３４】
尚、図示していないが、携帯端末機（Ｂ）１−２から携帯端末機（Ａ）１−１への着信をパソコン（Ａ）２−１に転送する場合には、パソコン（Ａ）２−１がルータ３を通して無線ＬＡＮ接続された携帯端末機（Ａ）１−１に携帯端末機（Ｂ）１−２からの着信の転送指示を送っておくことで、上記と同様な処理にて、携帯端末機（Ｂ）１−２とパソコン（Ａ）２−１との間で通話が行われる。また、図示していないが、パソコン（Ａ）２−１へのインタネット電話の着信を携帯端末機（Ａ）１−１に転送することも可能である。【００３５】
図５は図２の携帯端末機（Ａ）１−１の電話帳の構成を示す図であり、図６は図３のパソコン（Ａ）２−１の電話帳テーブルの構成を示す図である。図５及び図６において、携帯端末機（Ａ）１−１の電話帳及びパソコン（Ａ）２−１の電話帳テーブルには、氏名（「ＡＡＡＡＡ」，「ＢＢＢＢＢ」，・・・，「ＮＮＮＮＮ」）と、携帯電話番号（「０９０−ａａａａ−ｂｂｂｂ」，「０９０−ｇｇｇｇ−ｈｈｈｈ」，・・・，「０９０−ｏｏｏｏ−ｐｐｐｐ」）と、一般電話番号（公衆網の電話番号）（「０３−ｃｃｃｃ−ｄｄｄｄ」，「０３−ｉｉｉｉ−ｊｊｊｊ」，・・・，「−−−」）と、インタネット電話番号（「０５０−ｅｅｅｅ−ｆｆｆｆ」，「−−−」，・・・，「０５０−ｓｓｓｓ−ｔｔｔｔ」）とが互いに対応付けられて格納されている。【００３６】
尚、上記の例では、携帯端末機（Ａ）１−１の電話帳及びパソコン（Ａ）２−１の電話帳テーブルを同じ構成にしているが、携帯端末機（Ａ）１−１の電話帳にパソコン（Ａ）２−１への転送の有無を示すフラグ情報を追加したり、あるいはパソコン（Ａ）２−１の電話帳テーブルに携帯端末機（Ａ）１−１への転送の有無を示すフラグ情報を追加することも可能である。この場合には、そのフラグ情報を基に無線ＬＡＮ接続された送り先に転送すればよい。また、携帯端末機（Ａ）１−１の電話帳及びパソコン（Ａ）２−１の電話帳テーブルを異なる構成とすることも可能である。【００３７】
図７は図３の携帯端末機（Ａ）１−１の発信処理を示すフローチャートであり、図８は図３の携帯端末機（Ａ）１−１の着信処理を示すフローチャートであり、図９は図３のパソコン（Ａ）２−１の発信処理を示すフローチャートであり、図１０は図３のパソコン（Ａ）２−１の着信処理を示すフローチャートである。これら図１と図２と図４〜図１０とを参照して携帯端末機（Ａ）１−１及びパソコン（Ａ）２−１の発信処理及び着信処理について説明する。【００３８】
尚、図７及び図８に示す処理は携帯端末機（Ａ）１−１のＣＰＵ１１がメモリ１６に格納されたプログラムを実行することで、また図９及び図１０に示す処理はパソコン（Ａ）２−１のＣＰＵ２１がメモリ２５に格納されたプログラムを実行することでそれぞれ実現される。また、携帯端末機（Ａ）１−１及びパソコン（Ａ）２−１からの発信はインタネット電話を優先的に行うよう設定されているものとする。【００３９】
携帯端末機（Ａ）１−１は操作部１５を通して、あるいはパソコン（Ａ）２−１からの発信指示にしたがって発信処理を行う場合、その発信の対象となる相手先の電話帳における検索を行い（図７ステップＳ１）、その相手先のインタネット電話番号が未登録で（図７ステップＳ２）、携帯電話番号または一般電話番号も未登録であれば（図７ステップＳ７）、処理を終了する。【００４０】
携帯端末機（Ａ）１−１は相手先のインタネット電話番号が登録されていれば（図５ステップＳ２）、インタネット番号にて発信を行う（図７ステップＳ３）。携帯端末機（Ａ）１−１はインタネット番号にて相手先に接続されると（図７ステップＳ４）、通話終了となるまで、インタネット電話にて相手先との通話を行う（図７ステップＳ５，Ｓ６）。この場合、パソコン（Ａ）２−１からの発信指示であれば、携帯端末機（Ａ）１−１は相手先の音声通話をパソコン（Ａ）２−１に転送してインタネット電話による相手先との通話を行う。【００４１】
携帯端末機（Ａ）１−１はインタネット番号にて相手先に接続されなければ（図７ステップＳ４）、あるいは携帯電話番号または一般電話番号が登録されていれば（図７ステップＳ７）、携帯電話番号または一般電話番号にて発信を行う（図７ステップＳ８）。携帯端末機（Ａ）１−１は携帯電話番号または一般電話番号にて相手先に接続されると（図７ステップＳ９）、通話終了となるまで、携帯電話または一般電話にて相手先との通話を行う（図７ステップＳ１０，Ｓ１１）。この場合、パソコン（Ａ）２−１からの発信指示であれば、携帯端末機（Ａ）１−１は相手先の音声通話をパソコン（Ａ）２−１に転送して携帯電話または一般電話による相手先との通話を行う。【００４２】
携帯端末機（Ａ）１−１は携帯電話、一般電話、インタネット電話のいずれかにて着信があった時、操作部１５を通して、あるいはパソコン（Ａ）２−１からの指示によって無線ＬＡＮ通話が登録設定されていれば（図８ステップＳ２１）、転送先のパソコン（Ａ）２−１がルータ３を通して無線ＬＡＮ接続されているかをチェックする（図８ステップＳ２２）。【００４３】
携帯端末機（Ａ）１−１は転送先のパソコン（Ａ）２−１が無線ＬＡＮ接続されていれば、その着信が終了するまで、着信（音声通話）を転送先のパソコン（Ａ）２−１に転送する（図８ステップＳ２６，Ｓ２７）。【００４４】
携帯端末機（Ａ）１−１はインタネット通話が登録設定されていなければ（図８ステップＳ２１）、あるいは転送先のパソコン（Ａ）２−１が無線ＬＡＮ接続されていなければ、オフフック操作が行われたかをチェックし（図８ステップＳ２３）、オフフック操作が行われなければ、処理を終了する。携帯端末機（Ａ）１−１はオフフック操作が行われれば、通話終了となるまで、携帯電話にて相手と通話を行う（図８ステップＳ２４，Ｓ２５）。【００４５】
パソコン（Ａ）２−１は操作部２４を通して発信処理を行う場合、その発信の対象となる相手先の電話帳テーブルにおける検索を行い（図９ステップＳ３１）、その相手先のインタネット電話番号が未登録で（図９ステップＳ３２）、携帯電話番号または一般電話番号も未登録であれば（図９ステップＳ３７）、処理を終了する。【００４６】
パソコン（Ａ）２−１は相手先のインタネット電話番号が登録されていれば（図９ステップＳ３２）、インタネット番号にて発信を行う（図９ステップＳ３３）。パソコン（Ａ）２−１はインタネット番号にて相手先に接続されると（図９ステップＳ３４）、通話終了となるまで、インタネット電話にて相手先との通話を行う（図９ステップＳ３５，Ｓ３６）。【００４７】
パソコン（Ａ）２−１はインタネット番号にて相手先に接続されなければ（図９ステップＳ３４）、あるいは携帯電話番号が登録されていれば（図９ステップＳ３７）、対応する携帯端末機（Ａ）１−１に携帯電話番号による発信指示を行う（図９ステップＳ３８）。パソコン（Ａ）２−１は携帯端末機（Ａ）１−１に携帯電話による通話が転送されてくると（図９ステップＳ３９）、通話終了となるまで、携帯電話にて相手先との通話を行う（図９ステップＳ４０，Ｓ４１）。【００４８】
パソコン（Ａ）２−１は携帯電話、一般電話、インタネット電話のいずれかにて着信があった時、操作部２４を通して無線ＬＡＮ通話が登録設定されていれば（図１０ステップＳ５１）、転送先の携帯端末機（Ａ）１−１がルータ３を通して無線ＬＡＮ接続されているかをチェックする（図１０ステップＳ５２）。【００４９】
パソコン（Ａ）２−１は転送先の携帯端末機（Ａ）１−１が無線ＬＡＮ接続されていれば、その着信が終了するまで、着信（音声通話）を転送先の携帯端末機（Ａ）１−１に転送する（図１０ステップＳ５６，Ｓ５７）。【００５０】
パソコン（Ａ）２−１は無線ＬＡＮ通話が登録設定されていなければ（図１０ステップＳ５１）、あるいは転送先の携帯端末機（Ａ）１−１が無線ＬＡＮ接続されていなければ、オフフック操作が行われたかをチェックし（図１０ステップＳ５３）、オフフック操作が行われなければ、処理を終了する。パソコン（Ａ）２−１はオフフック操作が行われれば、通話終了となるまで、インタネット電話にて相手と通話を行う（図１０ステップＳ５４，Ｓ５５）。【００５１】
このように、本実施例では、携帯端末機（Ａ）１−１に無線ＬＡＮ機能１３を搭載し、パソコン（Ａ）２−１から無線ＬＡＮ経由で携帯端末機（Ａ）１−１を操作して通話の発信をしたり、あるいはその逆で携帯端末機（Ａ）１−１にて着信した通話を無線ＬＡＮ経由でパソコン（Ａ）２−１に転送して通話を実現することで、煩わしい操作を行うことなく、携帯電話網２００による通話とインタネット網１００による通話とにおける通話を行う端末の切替えを行うことができる。【００５２】
図１１は本発明の他の実施例による通信システムの構成を示すブロック図である。図１１において、本発明の他の実施例による通信システムでは、携帯端末機（Ａ）１−１をインタネット網１００経由でパソコン（Ａ）２−１に接続している以外は、図３に示す本発明の一実施例による通信システムと同様の構成及び動作となっている。【００５３】
図１２は本発明の他の実施例による通信システムの動作を示すシーケンスチャートである。これら図１１及び図１２を参照して本発明の他の実施例による通信システムにおけるパソコン（Ａ）２−１から携帯端末機（Ｂ）１−２への発信動作について説明する。【００５４】
パソコン（Ａ）２−１はルータ３及びインタネット網１００を通して接続された携帯端末機（Ａ）１−１に携帯端末機（Ｂ）１−２への発信指示を送ると（図１２のｂ１参照）、携帯端末機（Ａ）１−１はパソコン（Ａ）２−１からの発信指示にしたがって、携帯電話網２００を通して携帯端末機（Ｂ）１−２への発信処理を行う（図１２のｂ２，ｂ３参照）。【００５５】
携帯端末機（Ｂ）１−２は携帯端末機（Ａ）１−１の発信［携帯端末機（Ａ）１−１からの着信］を受けてオフフックすると（図１２のｂ４参照）、携帯端末機（Ａ）１−１に音声通話を行う（図１２のｂ５参照）。携帯端末機（Ａ）１−１はパソコン（Ａ）２−１からの発信指示にしたがって発信処理を行っているので、携帯端末機（Ｂ）１−２からの音声通話をそのままバソコン（Ａ）２−１に転送する（図１２のｂ６，ｂ７参照）。これによって、携帯端末機（Ｂ）１−２とパソコン（Ａ）２−１との間で通話が行われる（図１２のｂ８参照）。【００５６】
このように、本実施例では、上述した本発明の一実施例による通信システムと同様に、パソコン（Ａ）２−１からインタネット網１００経由で携帯端末機（Ａ）１−１を操作して通話の発信をしたり、あるいはその逆で携帯端末機（Ａ）１−１にて着信した通話をインタネット網１００経由でパソコン（Ａ）２−１に転送して通話を実現することで、煩わしい操作を行うことなく、携帯電話網２００による通話とインタネット網１００による通話とにおける通話を行う端末の切替えを行うことができる。しかも、本実施例では、無線ＬＡＮの通信範囲外からも、つまりパソコン（Ａ）２−１と携帯端末（Ａ）１−１Ａとが互いに遠隔の地にあっても、操作や転送が可能になる。【００５７】
尚、本発明は、上記の各実施例では、携帯端末機（Ａ，Ｂ）１−１，１−２とパソコン（Ａ，Ｂ）２−１，２−２とについて説明しているが、携帯端末機として、携帯電話機能や無線ＬＡＮ機能が搭載可能であれば、携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等を利用可能であり、インタネット電話機能や無線ＬＡＮ機能が搭載可能であれば、パソコン以外のワークステーション等の情報端末にも適用可能である。
【図面の簡単な説明】
【００５８】
【図１】本発明の一実施例による携帯端末機の構成を示すブロック図である。
【図２】本発明の一実施例による携帯端末機の構成を示すブロック図である。
【図３】本発明の一実施例による通信システムの構成を示すブロック図である。
【図４】本発明の一実施例による通信システムの動作を示すシーケンスチャートである。
【図５】図３の携帯端末機の電話帳の構成を示す図である。
【図６】図３のパソコンの電話帳テーブルの構成を示す図である。
【図７】図３の携帯端末機の発信処理を示すフローチャートである。
【図８】図３の携帯端末機の着信処理を示すフローチャートである。
【図９】図３のパソコンの発信処理を示すフローチャートである。
【図１０】図３のパソコンの着信処理を示すフローチャートである。
【図１１】本発明の他の実施例による通信システムの構成を示すブロック図である。
【図１２】本発明の他の実施例による通信システムの動作を示すシーケンスチャートである。
【符号の説明】
【００５９】
１  携帯端末機
１−１  携帯端末機（Ａ）
１−２  携帯端末機（Ｂ）
２−１  パーソナルコンピュータ（Ａ）
２−２  パーソナルコンピュータ（Ｂ）
３  ルータ
１１，２１  ＣＰＵ
１２  無線モデム
１３，２２  無線ＬＡＮ機能
１４，２３  表示部
１５，２４  操作部
１６，２５  メモリ
１７，１８，２７  アンテナ
１００  インタネット網
２００  携帯電話網
【図１】
0005431722.tif 000002
【図２】
0005431722.tif 000003
【図３】
0005431722.tif 000004
【図４】
0005431722.tif 000005
【図５】
0005431722.tif 000006
【図６】
0005431722.tif 000007
【図７】
0005431722.tif 000008
【図８】
0005431722.tif 000009
【図９】
0005431722.tif 000010
【図１０】
0005431722.tif 000011
【図１１】
0005431722.tif 000012
【図１２】
0005431722.tif 000013